(57)【特許請求の範囲】
【請求項１】
複数の見開き部を有するものであって、前記見開き部夫々は、対向するページ片の側縁部同士を連設して該ページ片同士が折り畳み重合可能及び展開可能に構成され、更に、隣接する前記見開き部同士は、その側縁部同士を連設して前記見開き部同士が折り畳み重合可能及び展開可能に構成され、また、前記見開き部には該見開き部を開いた際に起立する立体が設けられ、前記ページ片及び前記見開き部同士を展開した際、前記見開き部夫々の立体が同一平面上に並設されるように構成されており、前記立体は対向する前記ページ片夫々の一部を切り抜いて連設したものであることを特徴とする見開き構造体。
【請求項２】
請求項１記載の見開き構造体において、前記ページ片の下面には該ページ片の切り抜き部を隠蔽する覆片が設けられていることを特徴とする見開き構造体。
【請求項３】
請求項２記載の見開き構造体において、隣接する前記見開き部の側縁部同士は前記覆片を介して連設されていることを特徴とする見開き構造体。
【請求項４】
請求項２，３いずれか１項に記載の見開き構造体において、前記覆片の表面には合成樹脂製のコーティング層が形成されていることを特徴とする見開き構造体。
【請求項５】
複数の見開き部を有するものであって、前記見開き部夫々は、対向するページ片の側縁部同士を連設して該ページ片同士が折り畳み重合可能及び展開可能に構成され、更に、隣接する前記見開き部同士は、その側縁部同士を連設して前記見開き部同士が折り畳み重合可能及び展開可能に構成され、また、前記見開き部には該見開き部を開いた際に起立する立体が設けられ、前記ページ片及び前記見開き部同士を展開した際、前記見開き部夫々の立体が同一平面上に並設されるように構成されており、複数の前記見開き部同士を所定方向に展開可能に連設して成る第一展開部、及び、複数の前記見開き部同士を所定方向に展開可能に連設して成り、前記第一展開部と折り返し部を介して連設されて該第一展開部と並設される第二展開部を有することを特徴とする見開き構造体。
【請求項６】
複数の見開き部を有するものであって、前記見開き部夫々は、対向するページ片の側縁部同士を連設して該ページ片同士が折り畳み重合可能及び展開可能に構成され、更に、隣接する前記見開き部同士は、その側縁部同士を連設して前記見開き部同士が折り畳み重合可能及び展開可能に構成され、また、前記見開き部には該見開き部を開いた際に起立する立体が設けられ、前記ページ片及び前記見開き部同士を展開した際、前記見開き部夫々の立体が同一平面上に並設されるように構成されており、複数の前記見開き部同士を所定方向に展開可能に連設して成る第一展開部、複数の前記見開き部同士を所定方向に展開可能に連設して成り、前記第一展開部と折り返し部を介して連設されて該第一展開部と並設される第二展開部、・・・、及び、複数の前記見開き部同士を所定方向に展開可能に連設して成り、第ｎ−１展開部と折り返し部を介して連設されて該第ｎ−１展開部と並設される第ｎ展開部（ｎは２以上の自然数）を有することを特徴とする見開き構造体。
【請求項７】
複数の見開き部を有するものであって、前記見開き部夫々は、対向するページ片の側縁部同士を連設して該ページ片同士が折り畳み重合可能及び展開可能に構成され、更に、隣接する前記見開き部同士は、その側縁部同士を連設して前記見開き部同士が折り畳み重合可能及び展開可能に構成され、また、前記見開き部には該見開き部を開いた際に起立する立体が設けられ、前記ページ片及び前記見開き部同士を展開した際、前記見開き部夫々の立体が同一平面上に並設されるように構成されており、複数の前記見開き部同士が環状に展開可能に連設されていることを特徴とする見開き構造体。
【請求項８】
請求項１〜７いずれか１項に記載の見開き構造体において、前記立体夫々は建築物や動物などの現実物を同一縮尺で縮小した立体物であることを特徴とする見開き構造体。
【発明の詳細な説明】
【技術分野】
【０００１】
本発明は、例えば見開き部を開いた際に立体が現出する見開き構造体に関するものである。
【背景技術】
【０００２】
従来から、例えば実開平７−２７６９９号に開示されるような見開き部を開いた際に立体が起立する見開き構造体（以下、従来例）が提案されている。
【０００３】
この従来例は、立体を鑑賞する芸術品としての価値があるのは勿論、立体を学ぶに適するなど、教材として極めて有用である。
【先行技術文献】
【特許文献】
【０００４】
【特許文献１】実開平７−２７６９９号公報
【発明の概要】
【発明が解決しようとする課題】
【０００５】
本発明者等は、前述したような見開き部から立体が起立する見開き構造体に着目し、極めて商品価値の高い画期的な見開き構造体を開発した。
【課題を解決するための手段】
【０００６】
添付図面を参照して本発明の要旨を説明する。
【０００７】
複数の見開き部１を有するものであって、前記見開き部１夫々は、対向するページ片１Ａの側縁部同士を連設して該ページ片１Ａ同士が折り畳み重合可能及び展開可能に構成され、更に、隣接する前記見開き部１同士は、その側縁部同士を連設して前記見開き部１同士が折り畳み重合可能及び展開可能に構成され、また、前記見開き部１には該見開き部１を開いた際に起立する立体２が設けられ、前記ページ片１Ａ及び前記見開き部１同士を展開した際、前記見開き部１夫々の立体２が同一平面上に並設されるように構成されており、前記立体２は対向する前記ページ片１Ａ夫々の一部を切り抜いて連設したものであることを特徴とする見開き構造体に係るものである。
【０００８】
また、請求項１記載の見開き構造体において、前記ページ片１Ａの下面には該ページ片１Ａの切り抜き部７を隠蔽する覆片３が設けられていることを特徴とする見開き構造体に係るものである。
【０００９】
また、請求項２記載の見開き構造体において、隣接する前記見開き部１の側縁部同士は前記覆片３を介して連設されていることを特徴とする見開き構造体に係るものである。
【００１０】
また、請求項２，３いずれか１項に記載の見開き構造体において、前記覆片３の表面には合成樹脂製のコーティング層12が形成されていることを特徴とする見開き構造体に係るものである。
【００１１】
また、複数の見開き部１を有するものであって、前記見開き部１夫々は、対向するページ片１Ａの側縁部同士を連設して該ページ片１Ａ同士が折り畳み重合可能及び展開可能に構成され、更に、隣接する前記見開き部１同士は、その側縁部同士を連設して前記見開き部１同士が折り畳み重合可能及び展開可能に構成され、また、前記見開き部１には該見開き部１を開いた際に起立する立体２が設けられ、前記ページ片１Ａ及び前記見開き部１同士を展開した際、前記見開き部１夫々の立体２が同一平面上に並設されるように構成されており、複数の前記見開き部１同士を所定方向に展開可能に連設して成る第一展開部４、及び、複数の前記見開き部１同士を所定方向に展開可能に連設して成り、前記第一展開部４と折り返し部５を介して連設されて該第一展開部４と並設される第二展開部６を有することを特徴とする見開き構造体に係るものである。
【００１２】
また、複数の見開き部１を有するものであって、前記見開き部１夫々は、対向するページ片１Ａの側縁部同士を連設して該ページ片１Ａ同士が折り畳み重合可能及び展開可能に構成され、更に、隣接する前記見開き部１同士は、その側縁部同士を連設して前記見開き部１同士が折り畳み重合可能及び展開可能に構成され、また、前記見開き部１には該見開き部１を開いた際に起立する立体２が設けられ、前記ページ片１Ａ及び前記見開き部１同士を展開した際、前記見開き部１夫々の立体２が同一平面上に並設されるように構成されており、複数の前記見開き部１同士を所定方向に展開可能に連設して成る第一展開部４、複数の前記見開き部１同士を所定方向に展開可能に連設して成り、前記第一展開部４と折り返し部５を介して連設されて該第一展開部４と並設される第二展開部６、・・・、及び、複数の前記見開き部１同士を所定方向に展開可能に連設して成り、第ｎ−１展開部と折り返し部５を介して連設されて該第ｎ−１展開部と並設される第ｎ展開部（ｎは２以上の自然数）を有することを特徴とする見開き構造体に係るものである。
【００１３】
また、複数の見開き部１を有するものであって、前記見開き部１夫々は、対向するページ片１Ａの側縁部同士を連設して該ページ片１Ａ同士が折り畳み重合可能及び展開可能に構成され、更に、隣接する前記見開き部１同士は、その側縁部同士を連設して前記見開き部１同士が折り畳み重合可能及び展開可能に構成され、また、前記見開き部１には該見開き部１を開いた際に起立する立体２が設けられ、前記ページ片１Ａ及び前記見開き部１同士を展開した際、前記見開き部１夫々の立体２が同一平面上に並設されるように構成されており、複数の前記見開き部１同士が環状に展開可能に連設されていることを特徴とする見開き構造体に係るものである。
【００１４】
また、請求項１〜７いずれか１項に記載の見開き構造体において、前記立体２夫々は建築物や動物などの現実物を同一縮尺で縮小した立体物であることを特徴とする見開き構造体に係るものである。
【発明の効果】
【００１５】
本発明は上述のように構成したから、見開き部夫々を構成する対向するページ片同士を順に開くことで各見開き部に起立する立体を個別に鑑賞できるのは勿論、見開き部同士を展開した際に並設される各見開き部の立体同士を同時に鑑賞したり比較したりでき、従来にない感覚で立体に接することができ、例えば教材として最適であるなど極めて商品価値の高い画期的な見開き構造体となる。
【図面の簡単な説明】
【００１６】
【図１】実施例１を示す斜視図である。
【図２】実施例１に係る要部を説明する斜視図である。
【図３】実施例１の製造方法を示す斜視図である。
【図４】実施例１に係る要部の説明断面図である。
【図５】実施例１に係る要部の説明図である。
【図６】実施例１に係る要部を説明する斜視図である。
【図７】実施例１の製造方法を示す斜視図である。
【図８】実施例１に係る要部を説明する正面図である。
【図９】実施例１に係る要部の概略動作説明図である。
【図１０】実施例１に係る要部の概略動作説明図である。
【図１１】実施例１の別例に係る要部の概略動作説明図である。
【図１２】実施例２に係る要部を説明する斜視図である。
【図１３】実施例２の製造方法を示す斜視図である。
【図１４】実施例２に係る要部の概略動作説明図である。
【図１５】実施例３の製造方法を示す斜視図である。
【図１６】実施例３に係る要部の概略動作説明図である。
【図１７】実施例３に係る要部の概略動作説明図である。
【図１８】実施例３に係る要部の概略動作説明図である。
【図１９】実施例３に係る要部の概略動作説明図である。
【発明を実施するための形態】
【００１７】
好適と考える本発明の実施形態を、図面に基づいて本発明の作用を示して簡単に説明する。
【００１８】
各見開き部１を開いた際、この見開き部１夫々に立体２が起立する。
【００１９】
具体的には、例えば複数の見開き部１夫々を構成する対向するページ片１Ａ同士を本のように順に開くと、見開き部１夫々に立体２が起立し、これら立体２を個別に鑑賞できる。
【００２０】
また、見開き部１同士はいわゆる経本のように展開可能であり、この見開き部１同士を展開した際、見開き部１夫々の立体２が同一平面上に並設される。
【００２１】
従って、見開き部１夫々に起立する立体２を同時に鑑賞することができ、また、立体２夫々が、例えば有名な建築物であった場合には、この立体２を通じて有名な建築物同士の大きさや形状を比較できて従来にない感覚で立体２に接することができ、例えば教材として最適なものとなる。
【実施例１】
【００２２】
本発明の具体的な実施例１について図１〜１１に基づいて説明する。
【００２３】
本実施例は、複数の見開き部１を有するものであって、見開き部１夫々は、対向するページ片１Ａの側縁部同士を連設して該ページ片１Ａ同士が折り畳み重合可能及び展開可能に構成され、更に、隣接する見開き部１同士は、その側縁部同士を連設して見開き部１同士が折り畳み重合可能及び展開可能に構成された見開き構造体Ｂである。符号８は見開き構造体Ｂを収納するケース体である。
【００２４】
本実施例では、ページ片１Ａ及び後述する覆片３をいずれも紙製としており、方形状（長方形状）に形成している。
【００２５】
また、このページ片１Ａ及び覆片３夫々の外側となる表面には、適宜な柔軟性を有する合成樹脂製部材での加工（例えばポリプロピレン加工）が施されてコーティング層12が形成されている。
【００２６】
従って、このコーティング層12により水分で濡れたりしても破損せず、度重なる使用にも耐え得るなど極めて耐久性に秀れることになり、例えば立体２を強く触ることで該立体２を理解する幼児や視覚障害者などの使用にも十分耐え得る強度を具備することになる。
【００２７】
また、このページ片１Ａ夫々の表面に形成されるコーティング層12は、見開き部１を構成する対向するページ片１Ａ同士の連設部となり、更に、覆片３の表面に形成されるコーティング層12は、見開き部１同士の連設部となり（図５参照）、このコーティング層12での連設によりいずれの連設部も折り畳み可能となる。
【００２８】
尚、ページ片１Ａ及び覆片３は、紙製に限らず、薄く且つ曲げに強い素材であれば適宜採用し得るものである。
【００２９】
また、見開き部１夫々には該見開き部１を開いた際に起立する立体２が設けられている。
【００３０】
この立体２は、ページ片１Ａの一部を切り抜いて起立させて形成され、且つ、３６０°どの方向からでも看取できるものである。尚、立体２はその一部（切り抜き以外の部位）がページ片１Ａとつながっている。
【００３１】
この見開き部１夫々に設けられる立体２は、建築物や動物などの現実物を同一縮尺で縮小した立体物である。
【００３２】
具体的には、本実施例では、立体２として、図２，３に図示したようにピラミッドや東京タワー、図７に図示したように横浜ランドマークタワーを模した立体２としており、各立体２は同一縮尺で縮小された大きさである。
【００３３】
また、ページ片１の表面にして立体２の近傍部位には視覚障害者用の点字部９が設けられている。
【００３４】
この点字部９は、図４に図示したようにレーザーによりページ片１Ａの所定位置を刻設したものであり、平面視方形状の凹部９ａ内に、立体２の名称や説明書きを示す点字突起９ｂを設けて構成されている。
【００３５】
また、ページ片１の裏面には、図３に図示したように立体２が切り抜かれた該ページ片１Ａの切り抜き部７を隠蔽する覆片３が貼着されている。
【００３６】
この覆片３は、図３に図示したように方形状（長方形状）にしてページ片１Ａ一枚分の面積のものと、ページ片１Ａ二枚分の面積のものとがあり、前者は端部（始端部及び終端部）に位置するページ片１Ａの裏面に貼着材11を介して貼着され、後者は隣接する見開き部１に係るページ片１Ａ夫々の裏面に該ページ片１Ａ同士間に架設状態で貼着材11を介して貼着されている。即ち、隣接する見開き部１同士は覆片３を介して連設される。
【００３７】
本実施例に係る見開き構造体Ｂは、複数の見開き部１同士を蛇行状態となるよう展開可能に連設して構成されている。
【００３８】
具体的には、見開き構造体Ｂは、複数の見開き部１同士を所定方向に展開可能に連設して成る第一展開部４、複数の見開き部１同士を所定方向に展開可能に連設して成り、第一展開部４と折り返し部５を介して連設されて該第一展開部４と並設される第二展開部６、・・・、及び、複数の見開き部１同士を所定方向に展開可能に連設して成り、第ｎ−１展開部と折り返し部５を介して連設されて該第ｎ−１展開部と並設される第ｎ展開部（ｎは２以上の自然数）を有する。
【００３９】
図９，10は第二展開部６まで設けた場合であり、図11は第二展開部６と折り返し部５を介して連設されて該第二展開部６と並設される第三展開部10まで設けた場合である。
【００４０】
この各展開部同士を連設する折り返し部５は、図６，７に図示したように各展開部の端部に位置する見開き部１のページ片１Ａ夫々の裏面に該ページ片１Ａ二枚分の面積の覆片３を貼着して構成されている。
【００４１】
また、本実施例では、図７に図示したように折り返し部５を構成する覆片３の左右側縁には凹部３ａが設けられ、この凹部３ａは折り返し部５の位置を表示する機能を発揮し、この凹部３ａを持って見開き構造体Ｂを縦割りに展開し（図６参照）、この状態で折り返し部５以外の部位を落下させることでその他の部位は一気に展開する（図９，10参照）。
【００４２】
以上の構成から、本実施例は、見開き部１同士を展開した際、見開き部１夫々の立体２が同一平面上に並設される（図８参照）。
【００４３】
以下、本実施例の製造方法について説明する。
【００４４】
先ず、レーザー光を照射するレーザー照射装置（図示省略）に立体２の設計図（展開図）を入力する。尚、立体２の設計図は、見開き部を１８０°開いた際には立体２が形成されるように、且つ、ページ片１Ａを折り畳んで閉じた際には該立体２が切り抜き部７に収納され得るように設定する。
【００４５】
続いて、この設計図に基づいてレーザー照射装置から照射されるレーザー光により、立体２の切り抜き、切り抜き部７の形成及び点字部９の形成を行う。
【００４６】
尚、本実施例では、レーザー照射装置から所定巾のレーザー光を照射することで前述した切り抜き作業や点字部を形成する作業を行う構成であるが、例えば巾広のレーザー光を照射して型（マスク）を通過させることでレーザー光を所定巾（型に形成したスリット巾）とすることで、前述した切り抜き作業を行うようにしても良く、この場合より一層の量産性の向上が望める。
【００４７】
続いて、レーザー光の照射により切り抜かれた立体原型を、各折り曲げ部位を折り曲げたり、糊代部を糊付けたりして立体２を組み立てる。尚、糊代部を設けると該糊代部分が厚くなるため、例えば和紙などの薄い素材で形成された継合部材を糊代部の代わりとして使用するようにしても良い。
【００４８】
続いて、立体２を設けたページ片１同士を連設して見開き部１を折り畳み重合可能に設けるとともに、隣接する見開き部１同士を連設して折り畳み重合可能及び展開可能に設ける。
【００４９】
本実施例は上述のように構成したから、見開き部１夫々を構成する対向するページ片１Ａ同士を順に開くことで各見開き部１に起立する立体２を個別に鑑賞できるのは勿論、見開き部１同士を展開した際に並設される各見開き部１の立体２同士を同時に鑑賞したり比較したりでき（一覧化することができ）、従来にない感覚で立体２に接することができ、例えば教材として最適である。
【００５０】
また、本実施例は、立体２はページ片１Ａの一部を切り抜いて起立させたものであるから、閉じた際にかさ張ったり立体部分のみが厚くなったりせず、また、製造が簡単で量産が容易となり、しかも、立体２はページ片１Ａを切り抜いた部位であるから、製造時にゴミの発生を可及的に低減することができることになる。
【００５１】
また、本実施例は、ページ片１Ａの下面に該ページ片１Ａの切り抜き部７を隠蔽する覆片３を設けたから、切り抜き部７が気にならず体裁が良く、しかも、ページ片１Ａの強度を向上することができる。
【００５２】
また、本実施例は、隣接する見開き部１の側縁部同士を覆片３を介して連設して該見開き部１同士が折り畳み重合可能に構成されているから、非常に効率の良い構造であり、この点においても量産性及びコスト面に秀れることになる。
【００５３】
また、本実施例は、立体２夫々は建築物や動物などの現実物を同一縮尺で縮小した立体物であるから、前述した従来にない感覚で立体に接することができる。
【００５４】
また、本実施例は、複数の見開き部１同士を所定方向に展開可能に連設して成る第一展開部４、複数の見開き部１同士を所定方向に展開可能に連設して成り、第一展開部４と折り返し部５を介して連設されて該第一展開部４と並設される第二展開部６、・・・、及び、複数の見開き部１同士を所定方向に展開可能に連設して成り、第ｎ−１展開部と折り返し部５を介して連設されて該第ｎ−１展開部と並設される第ｎ展開部（ｎは２以上の自然数）を有するから、例えば机の上などの小さなスペースでも複数の立体２を同一平面上に良好に並設することができ、この点においても教材として秀れたものとなる。
【００５５】
また、本実施例は、前記ページ片１の表面及び覆片３の表面には合成樹脂製のコーティング層12が形成されているから、極めて耐久性に秀れることになる。
【実施例２】
【００５６】
本発明の具体的な実施例２について図12〜14に基づいて説明する。
【００５７】
本実施例は、複数の見開き部１同士を環状に展開可能に連設しており、ページ片１Ａ及び見開き部１同士を展開した際、見開き部１夫々の立体２が同一平面上にして環状に並設されるように構成されたものである。尚、図示していないが本実施例に係る見開き構造体Ｂもケース体に収納される。
【００５８】
具体的には、本実施例では、ページ片１Ａ及び後述する覆片３をいずれも紙製としており、方形状（正面視台形状）に形成している。
【００５９】
また、このページ片１Ａ及び覆片３夫々の外側となる表面には、適宜な柔軟性を有する合成樹脂製部材での加工（例えばポリプロピレン加工）が施されてコーティング層が形成されている。
【００６０】
従って、このコーティング層により水分で濡れたりしても破損せず、度重なる使用にも耐え得るなど極めて耐久性に秀れることになり、例えば立体２を強く触ることで該立体２を理解する幼児や視覚障害者などの使用にも十分耐え得る強度を具備することになる。
【００６１】
また、このページ片１Ａ夫々の表面に形成されるコーティング層12は、見開き部１を構成する対向するページ片１Ａ同士の連設部となり、更に、覆片３の表面に形成されるコーティング層12は、見開き部１同士の連設部となり、このコーティング層12での連設によりいずれの連設部も折り畳み可能となる。
【００６２】
尚、ページ片１Ａ及び覆片３は、紙製に限らず、薄く且つ曲げに強い素材であれば適宜採用し得るものである。
【００６３】
本実施例では、前述したページ片１Ａと覆片３との組み合わせから見開き部１を12個設けている。
【００６４】
また、見開き部１夫々には該見開き部１を開いた際に起立する立体２が設けられている。
【００６５】
この立体２は、ページ片１Ａの一部を切り抜いて起立させて形成され、且つ、３６０°どの方向からでも看取できるものである。尚、立体２はその一部（切り抜き以外の部位）がページ片１Ａとつながっている。
【００６６】
この見開き部１夫々に設けられる立体２は、建築物や動物などの現実物を同一縮尺で縮小した立体物である。
【００６７】
具体的には、本実施例では、立体２として、図12に図示したようにネズミを模した立体２として、図示していないが見開き部１を12個設けることで干支にちなんだ動物の立体２が設けられている。
【００６８】
また、ページ片１の表面にして立体２の近傍部位には視覚障害者用の点字部９が設けられている。
【００６９】
この点字部９は、レーザーによりページ片１Ａの所定位置を刻設したものであり、平面視方形状の凹部内に、立体２の名称や説明書きを示す点字突起を設けて構成されている。
【００７０】
また、ページ片１の裏面には、図13に図示したように立体２が切り抜かれた該ページ片１Ａの切り抜き部７を隠蔽する覆片３が貼着されている。
【００７１】
この覆片３は、図13に図示したように方形状（台形状）にしてページ片１Ａ一枚分の面積のものと、ページ片１Ａ二枚分の面積のものとがあり、前者は端部（始端部及び終端部）に位置するページ片１Ａの裏面に貼着材を介して貼着され、後者は隣接する見開き部１に係るページ片１Ａ夫々の裏面に該ページ片１Ａ同士間に架設状態で貼着材を介して貼着されている。即ち、隣接する見開き部１同士は覆片３を介して連設される。
【００７２】
従って、本実施例に係る見開き構造体Ｂは、ページ片１Ａの形状から複数の見開き部１同士を環状となるよう展開可能に連設して構成されている。
【００７３】
以上の構成から、本実施例は、見開き部１同士を展開した際、見開き部１夫々の立体２が同一平面上にして環状に並設される。
【００７４】
その余は実施例１と同様である。
【実施例３】
【００７５】
本発明の具体的な実施例３について図15〜19に基づいて説明する。
【００７６】
本実施例に係る見開き構造体Ｂは、複数の見開き部１同士を所定方向に展開可能に連設して成る第一展開部４、複数の見開き部１同士を所定方向に展開可能に連設して成り、第一展開部４と中間部15を介して連設されて該第一展開部４と並設される第二展開部６、・・・、及び、複数の見開き部１同士を所定方向に展開可能に連設して成り、第ｎ−１展開部と中間部15を介して連設されて該第ｎ−１展開部と並設される第ｎ展開部（ｎは２以上の自然数）を有する。尚、本実施例では、第二展開部６と中間部15を介して連設されて該第二展開部６と並設される第三展開部10まで設けているが、展開部の数は適宜変更し得るものであり、各展開部同士は中間部15を介して連設する。
【００７７】
この各展開部同士を連設する中間部15は、図15に図示したように帯状薄片16と、この帯状薄片16の端部と各展開部の端部を連設する連設薄片17とで構成されている。
【００７８】
帯状薄片16は、図15，16に図示したように適宜な紙製であり、各展開部と同じ長さに設定されている。
【００７９】
また、帯状薄片16は、各展開部に係る見開き部１を構成するページ片１Ａと同巾の間隔で長さ方向に折り部16ａ（山折り部と谷折り部）が設けられ、長さ方向に展開自在に折り畳み重合するように構成されている。
【００８０】
また、帯状薄片16は、巾方向の中央位置に折り部16ｂが設けられ、この折り部16ｂにより半分に折り畳み重合するように構成されている。
【００８１】
従って、この帯状薄片16の折り部16ｂを折り畳むとともに、後述する連設薄片17の折り部17ｂを折り畳むことで、展開した展開部同士が接近した状態で並設状態とすることができる（図16〜19参照）。この際、中間部15は上部に展開部が積層されることで隠蔽状態となる。
【００８２】
連設薄片17は、実施例１の折り返し部５と同様のものであり、図15に図示したように適宜な紙製であり、見開き部１のページ片１Ａ二枚分の面積に設定されており、展開部の端部に位置する見開き部１のページ片１Ａの裏面と帯状薄片16の端部の裏面に貼着される。
【００８３】
従って、展開部と帯状薄片16とは連設薄片17を介して連設される。
【００８４】
また、連設薄片17は、展開部の端部と帯状薄片16との境界に該当する位置に折り部17ａが設けられている。
【００８５】
また、連設薄片17には、帯状薄片16の折り部16ｂと重合する位置に折り部17ｂが設けられており、前述した帯状薄片16の折り部16ｂとともに折り畳むことで、展開した展開部同士を接近した状態で並設状態とすることができる。
【００８６】
ところで、この各展開部の間に中間部15を設けたのは、各展開部を展開した際に該展開部夫々に施された文字や絵が逆さにならず同一方向を向くようにするためである。
【００８７】
具体的には、本実施例に係る見開き構造体Ｂは、本のように見開き部１を一つ一つ展開して見ることができるが、この展開部同士を蛇行状に折り返して連設する構造上、展開部同士が中間部15を介さずに直接連設されていた場合には、各展開部を展開した際、隣接する展開部の見開き部１に施された文字や絵が反対向きになってしまう。
【００８８】
この点、本実施例は、前述した構成の中間部15を設けることでこの問題点を確実に解消することができ、各展開部を展開するとともに、中間部15を折り畳み重合して展開部を上部に積層して隠蔽状態とすることで、何ら違和感なく展開部夫々に施された文字や絵が逆さにならず同一方向を向くようにすることができる。
【００８９】
また、中間部15には、見開き構造体Ｂの使用方法や立体の解説を記載するなど、別の用途を付与する場所として有効利用することができる。
【００９０】
尚、展開部と同様、中間部15に係る帯状薄片16及び連設薄片17夫々の表面にコーティング層を設けるようにしても良い。
【００９１】
その余は実施例１，２と同様である。
【００９２】
尚、本発明は、実施例１，２，３に限られるものではなく、各構成要件の具体的構成は適宜設計し得るものである。
【符号の説明】
【００９３】
１  見開き部
１Ａ  ページ片
２  立体
３  覆片
４  第一展開部
５  折り返し部
６  第二展開部
７  切り抜き部
12  コーティング層
【図１】
0005856377.tif 000002
【図２】
0005856377.tif 000003
【図３】
0005856377.tif 000004
【図４】
0005856377.tif 000005
【図５】
0005856377.tif 000006
【図６】
0005856377.tif 000007
【図７】
0005856377.tif 000008
【図８】
0005856377.tif 000009
【図９】
0005856377.tif 000010
【図１０】
0005856377.tif 000011
【図１１】
0005856377.tif 000012
【図１２】
0005856377.tif 000013
【図１３】
0005856377.tif 000014
【図１４】
0005856377.tif 000015
【図１５】
0005856377.tif 000016
【図１６】
0005856377.tif 000017
【図１７】
0005856377.tif 000018
【図１８】
0005856377.tif 000019
【図１９】
0005856377.tif 000020